(57)【要約】【課題】チューナモジュールの実装上の制限を緩和して、当該チューナモジュールをデジタルノイズの影響を受けにくい最適な位置に配置することができるようにする。【解決手段】アナログ・ＴＶチューナ・キャプチャユニット１２３は、ＴＶアンテナコネクタ１９と接続して用いられるＴＶチューナモジュール２１０と、このモジュール２１０とは独立のプリント配線基板２４０に実装されたエンコーダ・デコーダユニット２２０とを有する。モジュール２１０は、ＴＶアンテナコネクタ１９を介して入力される高周波信号からアナログのテレビジョン放送信号を受信して、当該放送信号を中間周波数信号に変換するＲＦチューナ２１１と、ＴＶ復調ユニット２１３とを含む。ＴＶ復調ユニット２１３は、中間周波数信号をディジタル化して、当該ディジタル化された中間周波数信号からデジタル映像データ及びデジタルオーディオデータを復調する。【選択図】      図３
2006311369.tif 000002
【特許請求の範囲】
【請求項１】
アンテナ端子を有する情報処理装置に適用されるアナログ・テレビジョンチューナ・キャプチャユニットにおいて、
前記アンテナ端子と接続して用いられるチューナモジュールであって、前記アンテナ端子を介して入力される高周波信号からアナログのテレビジョン放送信号を受信して、当該放送信号を中間周波数信号に変換するチューナと、前記中間周波数信号をディジタル化して、当該ディジタル化された中間周波数信号からディジタル化された映像信号及び音声信号であるデジタル映像データ及びデジタルオーディオデータを復調する復調ユニットとを含むチューナモジュールと、
前記チューナモジュールとは独立のプリント配線基板に実装されたエンコーダ・デコーダユニットであって、前記デジタル映像データをデコードするための映像データ処理を実行して、所定の形式のデジタル映像データを生成するビデオデコーダユニットと、前記デジタルオーディオデータをデコードするためのオーディオデータ処理を実行して、所定の形式のオーディオデータを生成するオーディオデコーダユニットと、前記所定の形式の映像データ及び前記所定の形式のオーディオデータをそれぞれエンコードして、圧縮符号化されたオーディオ・ビデオストリームを生成するエンコーダとを含むエンコーダ・デコーダユニットと
を具備することを特徴とするアナログ・テレビジョンチューナ・キャプチャユニット。
【請求項２】
前記チューナモジュールの前記復調ユニットにより復調された前記デジタル映像データ及び前記オーディオデータを、それぞれ前記エンコーダ・デコーダユニットの前記ビデオデコーダユニット及び前記オーディオデコーダユニットに転送するのに用いられる信号ケーブルを更に具備することを特徴とする請求項１記載のアナログ・テレビジョンチューナ・キャプチャユニット。
【請求項３】
前記復調ユニットは、前記中間周波数信号をディジタル化してデジタル中間周波数データに変換するアナログ／ディジタル変換器と、前記デジタル中間周波数データから前記デジタル映像データ及び前記デジタルオーディオデータを生成するデジタル復調器とを含むことを特徴とする請求項２記載のアナログ・テレビジョンチューナ・キャプチャユニット。
【請求項４】
前記デジタル復調器によって生成される前記デジタル映像データ及び前記デジタルオーディオデータが、それぞれパラレルのデジタル映像データ及びパラレルのデジタルオーディオデータであることを特徴とする請求項３記載のアナログ・テレビジョンチューナ・キャプチャユニット。
【請求項５】
前記復調ユニットは、前記デジタル復調器によってそれぞれ生成される前記パラレルのデジタル映像データ及び前記パラレルのデジタルオーディオデータを、それぞれシリアルのデジタル映像データ及びシリアルのデジタルオーディオデータに変換するパラレル／シリアル変換器を更に含むことを特徴とする請求項４記載のアナログ・テレビジョンチューナ・キャプチャユニット。
【請求項６】
前記ビデオデコーダユニットは、前記シリアルのデジタル映像データをパラレルのデジタル映像データに変換する第１のシリアル／パラレル変換器と、前記第１のシリアル／パラレル変換器によって変換されたパラレルのデジタル映像データをデコードするための映像データ処理を実行して、前記所定の形式のデジタル映像データを生成するビデオデコーダとを含み、
前記オーディオデコーダユニットは、前記シリアルのデジタルオーディオデータをパラレルのデジタルオーディオデータに変換する第２のシリアル／パラレル変換器と、前記第２のシリアル／パラレル変換器によって変換されたパラレルのデジタルオーディオデータをデコードするためのオーディオデータ処理を実行して、前記所定の形式のデジタルオーディオデータを生成するオーディオデコーダとを含む
ことを特徴とする請求項５記載のアナログ・テレビジョンチューナ・キャプチャユニット。
【請求項７】
各種データを表示装置に表示可能な情報処理装置において、
テレビジョンアンテナと接続可能なアンテナ端子と、
前記アンテナ端子を介して入力される高周波信号からアナログのテレビジョン放送信号を受信して、当該放送信号に含まれているから映像信号及び音声信号に対応する圧縮符号化されたオーディオ・ビデオストリームを生成するアナログ・テレビジョンチューナ・キャプチャユニットと、
前記オーディオ・ビデオストリームをデコードすることにより映像データを再生して当該映像データを前記表示装置に表示するコントローラとを具備し
前記アナログ・テレビジョンチューナ・キャプチャユニットは、
前記アンテナ端子に近接して配置され、且つ当該アンテナ端子と接続されるチューナモジュールであって、前記アンテナ端子を介して入力される高周波信号からアナログのテレビジョン放送信号を受信して、当該放送信号を中間周波数信号に変換するチューナと、前記中間周波数信号をディジタル化して、当該ディジタル化された中間周波数信号からディジタル化された映像信号及び音声信号であるデジタル映像データ及びデジタルオーディオデータを復調する復調ユニットとを含むチューナモジュールと、
前記チューナモジュールとは独立のプリント配線基板に実装されたエンコーダ・デコーダユニットであって、前記デジタル映像データをデコードするための映像データ処理を実行して、所定の形式のデジタル映像データを生成するビデオデコーダユニットと、前記デジタルオーディオデータをデコードするためのオーディオデータ処理を実行して、所定の形式のオーディオデータを生成するオーディオデコーダユニットと、前記所定の形式の映像データ及び前記所定の形式のオーディオデータをそれぞれエンコードして、前記圧縮符号化されたオーディオ・ビデオストリームを生成するエンコーダとを含むエンコーダ・デコーダユニットとを含む
ことを特徴とする情報処理装置。
【発明の詳細な説明】
【技術分野】
【０００１】
本発明は、アナログのテレビジョン放送信号を受信するアナログ・テレビジョンチューナ・キャプチャユニット及び同ユニットを有するパーソナルコンピュータのような情報処理装置に関する。
【背景技術】
【０００２】
近年、ノートブック型パーソナルコンピュータのようなバッテリ駆動可能な様々な携帯型パーソナルコンピュータが開発されている。また、最近では、アナログ・テレビジョン（ＴＶ）チューナ・キャプチャユニットを内蔵した携帯型パーソナルコンピュータも開発されている。
【０００３】
ＴＶチューナ・キャプチャユニットは、一般にチューナモジュール（ＴＶチューナモジュール）とエンコーダ・デコーダユニットとを有する。チューナモジュールは、ＴＶアンテナからのＲＦ（Radio Frequency）信号（つまり高周波信号）を入力して当該ＲＦ信号からアナログのＴＶ放送信号を受信する。チューナモジュールは、受信したＴＶ放送信号を中間周波数信号（ＩＦ信号）に変換し、当該ＩＦ信号からコンポジット信号形式の映像信号（コンポジット信号）とＳＩＦ（Sound Intermediate Frequency）形式の音声信号（ＳＩＦ信号）とを復調する。エンコーダ・デコーダユニットは、チューナモジュールからのコンポジット信号及びＳＩＦ信号を入力して、それぞれ映像信号処理及び音声信号処理を行うことで、当該コンポジット信号及びＳＩＦ信号をそれぞれ所定の形式のデジタル映像データ及びデジタルＳＩＦデータに変換する。エンコーダ・デコーダユニットは、デジタル映像データ及びデジタルＳＩＦデータをそれぞれ圧縮符号化して、圧縮符号化されたＡＶストリームを生成する。このＡＶストリームがパーソナルコンピュータの本体側でデコードされることで、当該ＡＶストリームに対応する表示及び音声出力が行われる。
【０００４】
さて、チューナモジュールに入力されるＲＦ信号は微弱で且つ高周波である。このため、ＲＦ信号はパーソナルコンピュータ内部で発生するデジタルノイズの影響を受け易い。ＲＦ信号がデジタルノイズの影響を受けると、ＴＶ画質品位の低下の招く。
【０００５】
一方、チューナモジュールとエンコーダ・デコーダユニットとを含むＴＶチューナ・キャプチャユニットは、一般に１つのプリント配線基板に実装されている。このＴＶチューナ・キャプチャユニット（が実装されたプリント配線基板）の大きさ故に、当該ＴＶチューナ・キャプチャユニットの実装位置には制限がある。このため、ＴＶチューナ・キャプチャユニット全体をパーソナルコンピュータ内部で発生するデジタルノイズの影響を受けにくい最適な位置に配置することが困難となる場合がある。
【０００６】
特許文献１は、第１及び第２のチューナ（ＴＶチューナモジュール）を有する受信装置において、当該第１及び第２のチューナがそれぞれ異なるプリント基板に実装されることを開示する。この両プリント基板の各々の一方の面はそれぞれ第１及び第２のチューナが実装される実装面をなし、他方の面は接地面をなす。両プリント基板は、その接地面が互いに対向するように配置される。このような第１及び第２のチューナが実装されたプリント基板を受信装置内に配置することにより、第１及び第２のチューナ相互の不要輻射による性能低下が低減される。
【特許文献１】特開２００３−３０４１６２号公報（段落００１６）
【発明の開示】
【発明が解決しようとする課題】
【０００７】
上記したように従来技術においては、チューナモジュールとエンコーダ・デコーダユニットとを含むＴＶチューナ・キャプチャユニットは、１つのプリント配線基板に実装されている。このため、ＴＶチューナ・キャプチャユニット全体をパーソナルコンピュータ内部で発生するデジタルノイズの影響を受けにくい最適な位置に配置することは一般に困難である。この場合、チューナモジュールが受けるデジタルノイズにより、ＴＶ画質品位の低下を招く。
【０００８】
一方、上記特許文献１は、複数のチューナモジュール相互の干渉を防止するための当該チューナモジュールの配置に関する技術を開示している。しかし、特許文献１では、チューナモジュールに入力されるＲＦ信号がパーソナルコンピュータ内部で発生するデジタルノイズの影響を受け易いことは考慮されていない。このため特許文献１には、チューナモジュールをデジタルノイズの影響を受けにくい位置に配置可能とするための仕組みについて何も記載されていない。
【０００９】
本発明は上記事情を考慮してなされたものでその目的は、エンコーダ・デコーダユニットが実装されるプリント配線基板からチューナモジュールを分離することにより、当該チューナモジュールの実装上の制限を緩和して、当該チューナモジュールをデジタルノイズの影響を受けにくい最適な位置に配置することができるアナログ・テレビジョンチューナ・キャプチャユニット及び同ユニットを有する情報処理装置を提供することにある。
【課題を解決するための手段】
【００１０】
本発明の１つの観点によれば、アンテナ端子を有する情報処理装置に適用されるアナログ・テレビジョンチューナ・キャプチャユニットが提供される。このアナログ・テレビジョンチューナ・キャプチャユニットは、アンテナ端子と接続して用いられるチューナモジュールと、前記チューナモジュールとは独立のプリント配線基板に実装されたエンコーダ・デコーダユニットとを具備する。前記チューナモジュールは、前記アンテナ端子を介して入力される高周波信号からアナログのテレビジョン放送信号を受信して、当該放送信号を中間周波数信号に変換するチューナと、前記中間周波数信号をディジタル化して、当該ディジタル化された中間周波数信号からディジタル化された映像信号及び音声信号であるデジタル映像データ及びデジタルオーディオデータを復調する復調ユニットとを含む。前記エンコーダ・デコーダユニットは、前記デジタル映像データをデコードするための映像データ処理を実行して、所定の形式のデジタル映像データを生成するビデオデコーダユニットと、前記デジタルオーディオデータをデコードするためのオーディオデータ処理を実行して、所定の形式のオーディオデータを生成するオーディオデコーダユニットと、前記所定の形式の映像データ及び前記所定の形式のオーディオデータをそれぞれエンコードして、圧縮符号化されたオーディオ・ビデオストリームを生成するエンコーダとを含む。
【発明の効果】
【００１１】
本発明によれば、アナログ・テレビジョンチューナ・キャプチャユニットの主要な構成要素のうち、デジタルノイズに最も敏感なチューナモジュールを、他の要素、特にエンコーダ・デコーダユニットから分離することができるため、当該チューナモジュールの情報処理装置における実装上の制限を緩和して、当該チューナモジュールのみを情報処理装置内のアンテナ端子に近接する位置、つまりデジタルノイズの影響を受けにくい最適な位置に配置し、他のエンコーダ・デコーダユニット等は情報処理装置内の他の空間に配置することが可能となる。これによりテレビジョン画質の受信品位を高めることが可能となる。
【発明を実施するための最良の形態】
【００１２】
以下、本発明の実施の形態につき図面を参照して説明する。  
まず、図１及び図２を参照して、本発明の一実施形態に係る情報処理装置の構成について説明する。この情報処理装置は、例えば、ノートブック型パーソナルコンピュータ１０として実現されている。
【００１３】
図１はノートブック型パーソナルコンピュータ１０のディスプレイユニットを開いた状態における斜視図である。本コンピュータ１０は、コンピュータ本体１１と、ディスプレイユニット１２とから構成されている。ディスプレイユニット１２には、ＬＣＤ（Liquid Crystal Display）１７から構成される表示装置が組み込まれており、そのＬＣＤ１７の表示画面はディスプレイユニット１２のほぼ中央に位置されている。
【００１４】
ディスプレイユニット１２は、コンピュータ本体１１に対して開放位置と閉塞位置との間を回動自在に取り付けられている。コンピュータ本体１１は薄い箱形の筐体を有しいる。コンピュータ本体１１の上面には、キーボード１３、コンピュータ１０を電源オン／オフするためのパワーボタン１４、入力操作パネル１５及びタッチパッド１６などが配置されている。
【００１５】
入力操作パネル１５は、押されたボタンに対応するイベントを入力する入力装置であり、複数の機能をそれぞれ起動するための複数のボタンを備えている。これらボタン群には、ＴＶ（テレビジョン）起動ボタン１５Ａ及びチャンネル切替えボタン１５Ｂが含まれている。ＴＶ起動ボタン１５ＡはＴＶ放送番組データを再生するためのボタンである。ＴＶ起動ボタン１５Ａがユーザによって押下されたとき、ＴＶアプリケーションプログラムが自動的に起動される。ＴＶアプリケーションプログラムは、ＴＶ放送番組データの再生及び記録、外部機器（外部のオーディオ・ビデオ機器）からの映像データ（オーディオ・ビデオデータ）の再生及び記録を実行するためのプログラムである。チャンネル切替えボタン１５Ｂは、再生（視聴）／記録すべきＴＶ放送番組データのチャンネルを選択するためのボタンである。チャンネル切替えボタン１５Ｂがユーザによって押下される度に、再生／記録すべきＴＶ放送番組データのチャンネルが順番に切り替えられる。
【００１６】
コンピュータ本体１１の側面には、ＡＶ（オーディオ・ビデオ）コネクタセット１８及びＴＶアンテナコネクタ１９が設けられている。ＡＶコネクタセット１８は、外部機器からＡＶ信号を入力するためのコネクタ群であり、コンポジットビデオ入力コネクタ１８Ａ、Ｓビデオ入力コネクタ１８Ｂ及び２つのオーディオ入力コネクタ（オーディオ−Ｌ、オーディオ−Ｒ）１８Ｃを含む。
【００１７】
図２はコンピュータ１０のシステム構成を示すブロック図である。コンピュータ１０は、図２に示されているように、ＣＰＵ１１１、ノースブリッジ１１２、主メモリ１１３、グラフィクスコントローラ１１４、サウスブリッジ１１９、ＢＩＯＳ−ＲＯＭ１２０、ハードディスクドライブ（ＨＤＤ）１２１、光ディスクドライブ（ＯＤＤ）１２２、ＴＶチューナ・キャプチャユニット１２３、およびエンベデッドコントローラ／キーボードコントローラＩＣ（ＥＣ／ＫＢＣ）１２４等を備えている。
【００１８】
ＣＰＵ１１１はコンピュータ１０の動作を制御するために設けられたプロセッサである。ＣＰＵ１１１は、ＨＤＤ１２１から主メモリ１１３にロードされる、オペレーティングシステム（ＯＳ）及び各種アプリケーションプログラムを実行する。ＯＳは、複数のウィンドウを表示画面上に表示するためのウィンドウシステムを有している。
【００１９】
映像データ（例えば、ＴＶ放送番組データ、外部機器から入力されたビデオデータなど）は、通常、ＴＶアプリケーションプログラムに対応するウィンドウ内に表示される。この場合、例えば、ＴＶアプリケーションプログラムに対応するウィンドウはデスクトップ画面上に配置され、そのウィンドウ内に映像データが表示される（ウィンドウモード）。また、コンピュータ１０は、映像データをＬＣＤ１７の表示画面上にフルスクリーンモードで表示することもできる。このフルスクリーンモードにおいては、映像データだけが表示画面上のほぼ全エリアに表示される。
【００２０】
また、ＣＰＵ１１１は、ＢＩＯＳ−ＲＯＭ１２０に格納されたシステムＢＩＯＳ（Basic Input Output System）も実行する。システムＢＩＯＳはハードウェア制御のためのプログラムである。
【００２１】
ノースブリッジ１１２はＣＰＵ１１１のローカルバスとサウスブリッジ１１９との間を接続するブリッジデバイスである。ノースブリッジ１１２には、主メモリ１１３をアクセス制御するメモリコントローラも内蔵されている。また、ノースブリッジ１１２は、ＡＧＰ（Accelerated Graphics Port）バスなどを介してグラフィクスコントローラ１１４との通信を実行する機能も有している。
【００２２】
グラフィクスコントローラ１１４は本コンピュータ１０のディスプレイモニタとして使用されるＬＣＤ１７を制御する表示コントローラである。このグラフィクスコントローラ１１４はビデオメモリ（ＶＲＡＭ）を有しており、ＯＳ／アプリケーションプログラムによってビデオメモリ（ＶＲＡＭ）に書き込まれた表示データから、ＬＣＤ１７に表示すべき表示イメージを形成する映像信号を生成する。また、グラフィクスコントローラ１１４は、外部ＣＲＴ（Cathode Ray Tube）へアナログ映像信号を出力するためのインタフェース、およびアナログ映像信号をＳビデオ出力コネクタを介して外部に出力するためのインタフェースも有している。
【００２３】
サウスブリッジ１１９は、ＬＰＣ（Low Pin Count）バス上の各デバイスを制御する。また、サウスブリッジ１１９は、ＨＤＤ１２１及びＯＤＤ１２２を制御するためのＩＤＥ（Integrated Drive Electronics）コントローラを内蔵している。更に、サウスブリッジ１１９は、ＢＩＯＳ−ＲＯＭ１２０をアクセス制御するための機能及びＰＣＩ（Peripheral Component Interconnect）バス２０上の各デバイスを制御する機能を有している。ＰＣＩバス２０はシステムバスとして用いられる。ＰＣＩバス２０には、バスコネクタ３０を介してアナログ・ＴＶチューナ・キャプチャユニット１２３が接続されている。バスコネクタ３０は、例えば、Mini PCIコネクタから構成されている。
【００２４】
アナログ・ＴＶチューナ・キャプチャユニット１２３は、外部ソース（入力ソース）からの映像データ（ＴＶ放送信号、外部機器からのビデオデータなど）を受信する映像データ受信装置である。アナログ・ＴＶチューナ・キャプチャユニット１２３は、映像データを受信し、その受信した映像データをＰＣＩバス２０上に出力する。この場合、受信した映像データはアナログ・ＴＶチューナ・キャプチャユニット１２３内で例えばＭＰＥＧ２（MPEG: Moving Picture Coding Experts Group）のような圧縮符号化方式で圧縮符号化された後にＰＣＩバス２０上に出力される。圧縮符号化された映像データは、ＴＶアプリケーションプログラムによってデコードされた後にＬＣＤ１７に表示される。また、ＴＶアプリケーションプログラムは、アナログ・ＴＶチューナ・キャプチャユニット１２３から出力される圧縮符号化された映像データをＨＤＤ１２１に格納する録画処理を実行することができる。
【００２５】
エンベデッドコントローラ／キーボードコントローラＩＣ（ＥＣ／ＫＢＣ）１２４は、電力管理のためのエンベデッドコントローラと、キーボード（ＫＢ）１３およびタッチパッド１６を制御するためのキーボードコントローラとが集積された１チップマイクロコンピュータである。このエンベデッドコントローラ／キーボードコントローラＩＣ（ＥＣ／ＫＢＣ）１２４は、ユーザによるパワーボタン１４の操作に応じて本コンピュータ１０をパワーオン／パワーオフする機能を有している。
【００２６】
次に図３及び図４を参照してアナログ・ＴＶチューナ・キャプチャユニット１２３の構成と当該キャプチャユニット１２３の主要な構成要素の配置について説明する。  
図３は図２中のアナログ・ＴＶチューナ・キャプチャユニット１２３の構成を示すブロック図である。アナログ・ＴＶチューナ・キャプチャユニット１２３は、図３に示されているように、バスコネクタ３０およびＰＣＩバス２０を介して、コンピュータ１０のシステムロジック１００に接続されている。システムロジック１００は、アナログ・ＴＶチューナ・キャプチャユニット１２３のホストシステムとして機能する。このシステムロジック１００は、図２のＣＰＵ１１１、ノースブリッジ１１２、主メモリ１１３、グラフィクスコントローラ１１４、サウスブリッジ１１９、ＢＩＯＳ−ＲＯＭ１２０、ＨＤＤ１２１、ＯＤＤ１２２及びエンベデッドコントローラ／キーボードコントローラＩＣ（ＥＣ／ＫＢＣ）１２４を含む。
【００２７】
アナログ・ＴＶチューナ・キャプチャユニット１２３は、ＴＶチューナモジュール２１０及びエンコーダ・デコーダユニット２２０を含む。  
ＴＶチューナモジュール２１０はＴＶアンテナ１１０からのＲＦ（Radio Frequency）信号（高周波信号）に含まれているＴＶ（テレビジョン）放送信号を受信するＲＦ受信ユニットである。ＴＶチューナモジュール２１０は、ＴＶ放送信号を受信するようにＴＶアンテナコネクタ１９に接続されている。ＴＶアンテナコネクタ１９はＴＶアンテナ１１０からのＲＦ信号を受け取るためのアンテナ端子（ＴＶアンテナ端子）であり、当該ＴＶアンテナコネクタ１９にはＴＶアンテナ１１０を直接（ＴＶアンテナ１１０が携帯型の場合）またはアンテナケーブル（例えば同軸ケーブル）を介して接続することができる。
【００２８】
ＴＶチューナモジュール２１０は、全世界対応のＴＶチューナとして実現されている。そのためＴＶチューナモジュール２１０は、複数種のＴＶ放送システム（例えば、ＮＴＳＣ−Ｍ／Ｍ、ＰＡＬ−／Ｉ、ＰＡＬ−Ｂ／Ｇ、ＳＥＣＡＭ−Ｌ／Ｌ’、ＰＡＬ−Ｄ／Ｄなど）それぞれに対応する様々なＴＶ放送信号周波数に同調できるように構成されている。
【００２９】
ＴＶチューナモジュール２１０はまた、受信したＴＶ放送信号を復調して、例えばコンポジット信号形式のデジタル映像データ、及びＳＩＦ（Sound Intermediate Frequency）形式のデジタルオーディオデータ、つまりデジタル音声中間周波数データ（デジタルＳＩＦデータ）を生成する。本実施形態において、デジタル映像データ及びデジタルＳＩＦデータはシリアルデータである。
【００３０】
ＴＶチューナモジュール２１０は、ＲＦチューナ２１１、ＳＡＷ（Surface Acoustic Wave）フィルタ（表面弾性波フィルタ）２１２及びＴＶ復調ユニット２１３を含む。  
ＲＦチューナ２１１は、ＴＶアンテナ１１０からの微弱なＲＦ（Radio Frequency）信号をＴＶアンテナコネクタ１９を介して入力し、当該ＲＦ信号に含まれているＴＶ（テレビジョン）放送信号を受信する。ＲＦチューナ２１１はまた、受信したＴＶ放送信号からユーザが選局したチャネルに対応する信号を選択して増幅する。ＲＦチューナ２１１は更に、増幅された信号を中間周波数（Intermediate Frequency）信号（ＩＦ信号）に変換する。ＳＡＷフィルタ２１２は、ＲＦチューナ２１１からの中間周波数信号から不要周波数成分を除去するのに用いられる帯域フィルタである。
【００３１】
ＴＶ復調ユニット２１３は、ＳＡＷフィルタ２１２によって不要周波数成分を除去された中間周波数信号をデジタルデータ（デジタル中間周波数データ）に変換する。ＴＶ復調ユニット２１３は、このデジタル中間周波数データから、ディジタル化された映像信号及び音声信号、即ちデジタル映像データ及びデジタルオーディオデータを復調する。
【００３２】
ＴＶ復調ユニット２１３は、増幅器（ＡＭＰ）２１３ａ、フィルタ２１３ｂ、アナログ／ディジタル変換器（ＡＤＣ）２１３ｃ、復調用ＤＳＰ（デジタル・シグナル・プロセッサ）２１３ｄ及びパラレル／シリアル変換器（Ｐ／Ｓ）２１３ｅを含む。
【００３３】
増幅器２１３ａは、ＳＡＷフィルタ２１２によって不要周波数成分を除去された中間周波数信号を増幅する。フィルタ２１３ｂは、増幅器２１３ａによって増幅された中間周波数信号から不要周波数成分を除去するのに用いられる。アナログ／ディジタル変換器２１３ｃは、フィルタ２１３ｂによって不要周波数成分が除去された中間周波数信号をデジタル中間周波数データに変換する。
【００３４】
復調用ＤＳＰ２１３ｄはアナログ／ディジタル変換器２１３ｃによって変換されたデジタル中間周波数データに対する復調処理をデジタル処理によって実行するデジタル復調器である。復調用ＤＳＰ２１３ｄは、この復調処理により、デジタル中間周波数データから、映像信号に対応するコンポジット信号形式のデジタル映像データ、及び音声信号に対応するＳＩＦ形式のデジタルオーディオデータ（デジタルＳＩＦデータ）を生成する。
【００３５】
復調用ＤＳＰ２１３ｄによって生成されるデジタル映像データ及びデジタルＳＩＦデータは、いずれもパラレルデジタルデータである。パラレル／シリアル変換器２１３ｅは、パラレルのデジタル映像データ及びデジタルＳＩＦデータを、それぞれシリアルのデジタル映像データ及びデジタルＳＩＦデータに変換する。このシリアルのデジタル映像データ及びデジタルＳＩＦデータはＴＶチューナモジュール２１０からの出力データとして、それぞれ信号ケーブル２３１及び２３２を介してエンコーダ・デコーダユニット２２０に転送される。
【００３６】
このように本実施形態では、ＴＶチューナモジュール２１０からエンコーダ・デコーダユニット２２０にデジタル映像データ及びデジタルＳＩＦデータが転送される。このため、ＴＶチューナモジュール２１０とエンコーダ・デコーダユニット２２０との間の距離が離れていても、アナログの映像信号及びＳＩＦ信号に比較して信号減衰が少なくて済む。また、パーソナルコンピュータ１０内部でデジタルノイズが発生しても、アナログの映像信号及びＳＩＦ信号に比較して当該ノイズの影響を受けにくい。
【００３７】
エンコーダ・デコーダユニット２２０は、ＴＶチューナモジュール２１０（内のパラレル／シリアル変換器２１３ｅ）から信号ケーブル２３１及び２３２を介して転送されるシリアルのデジタル映像データ及びデジタルＳＩＦデータを、所定の形式のデジタル映像データ及びデジタルＳＩＦデータに変換する。エンコーダ・デコーダユニット２２０はまた、上記所定の形式のデジタル映像データ及びデジタルＳＩＦデータそれぞれ圧縮符号化して、圧縮符号化されたＡＶ（オーディオ・ビデオ）ストリームを生成する。
【００３８】
エンコーダ・デコーダユニット２２０は、プリント配線基板２４０上に実装された、例えば単一チップのＬＳＩである。このプリント配線基板２４０には、従来と異なってＴＶチューナモジュール２１０は実装されていない。プリント配線基板２４０には、バスコネクタ３０を介してＰＣＩバス２０と接続されるローカルなＰＣＩバス２４１が形成されている。エンコーダ・デコーダユニット２２０によって圧縮符号化されたＡＶストリームは、ＰＣＩバス２４１、バスコネクタ３０及びＰＣＩバス２０を介してシステムロジック１００に転送される。
【００３９】
エンコーダ・デコーダユニット２２０は、ビデオデコーダユニット２２１、オーディオデコーダユニット２２２及びＭＰＥＧエンコーダ２２３を含む。  
ビデオデコーダユニット２２１は、シリアル／パラレル変換器（Ｓ／Ｐ）２２１ａ及びビデオデコーダ２２１ｂを含む。シリアル／パラレル変換器２２１ａは、信号ケーブル２３１を介して転送されるシリアルのデジタル映像データをパラレルのデジタル映像データに変換する第１のシリアル／パラレル変換器である。ビデオデコーダ２２１ｂは、このパラレルのデジタル映像データをデコードするための映像データ処理を実行して、所定の形式、例えばＩＴＵ−６５６形式の映像データを生成する。この映像データ処理では、Ｙ／Ｃ分離処理等が行われる。Ｙ／Ｃ分離処理は、映像データを高画質化するための処理である。Ｙ／Ｃ分離処理では、コンポジット信号形式のデジタル映像データが輝度（Ｙ）信号に相当するデジタルデータと色信号（Ｕ，ＶまたはＣｒ，Ｃｂ）に相当するデジタルデータとに分離される。
【００４０】
オーディオデコーダユニット２２２は、シリアル／パラレル変換器（Ｓ／Ｐ）２２２ａ及びオーディオデコーダ２２２ｂを含む。シリアル／パラレル変換器２２２ａは、信号ケーブル２３２を介して転送されるシリアルのデジタルＳＩＦデータをパラレルのデジタルＳＩＦデータに変換する第２のシリアル／パラレル変換器である。オーディオデコーダ２２２ｂは、このパラレルのデジタルＳＩＦデータをデコードするためのオーディオデータ処理を実行して、所定の形式、例えばＩ２Ｓ形式のデジタルオーディオデータを生成する。このデジタルオーディオデータは、右側チャネルオーディオデータ（または主チャネルオーディオデータ）と、左側チャネルオーディオデータ（または副チャネルオーディオデータ）とを含む。
【００４１】
ＭＰＥＧエンコーダ２２３は、ビデオデコーダユニット２２１及びオーディオデコーダユニット２２２によってそれぞれ生成されたＩＴＵ−６５６形式のデジタル映像データ及びＩ２Ｓ形式のデジタルオーディオデータをエンコードする。ＭＰＥＧエンコーダ２２３は、このエンコードにより、ＩＴＵ−６５６形式のデジタル映像データ及びＩ２Ｓ形式のデジタルオーディオデータをそれぞれ圧縮符号化して、圧縮符号化されたＡＶストリームを生成する。生成されたＡＶストリームは図示せぬバスインタフェースユニットによりローカルなＰＣＩバス２４１、バスコネクタ３０及びＰＣＩバス２０を介してシステムロジック１００に転送される。システムロジック１００内のＣＰＵ１１１は、圧縮符号化されたＡＶストリームをＴＶアプリケーションの実行によってデコードすることで映像データ及びオーディオデータを再生する。これにより映像データはＬＣＤ１７に表示される。つまりＣＰＵ１１１は、ＡＶストリームをデコードすることにより映像データを再生してＬＣＤ１７に表示するコントローラとして機能する。また、再生されたオーディオデータに基づいて、例えば左右のスピーカ（図示せず）から音声が出力される。また、圧縮符号化されたＡＶストリームが、ユーザからの指示に応じてＨＤＤ１２１に転送されて当該ＨＤＤ１２１に記録されることもある。
【００４２】
なお、図２に示すアナログ・ＴＶチューナ・キャプチャユニット１２３には、外部機器（外部のＡＶ機器）から映像信号及び音声信号を入力して、ＩＴＵ−６５６形式のデジタル映像データ及びＩ２Ｓ形式のデジタルオーディオデータを生成する回路が省略されている。このＩＴＵ−６５６形式のデジタル映像データ及びＩ２Ｓ形式のデジタルオーディオデータは、ビデオデコーダユニット２２１及びオーディオデコーダユニット２２２からのＩＴＵ−６５６形式のデジタル映像データ及びＩ２Ｓ形式のデジタルオーディオデータと同様に、ＭＰＥＧエンコーダ２２３によりエンコード処理される。
【００４３】
図４は、図３のアナログ・ＴＶチューナ・キャプチャユニット１２３に含まれているＴＶチューナモジュール２１０及びエンコーダ・デコーダユニット２２０のパーソナルコンピュータ１０における配置例を示す平面図である。図３に示すように、ＴＶチューナモジュール２１０はパーソナルコンピュータ１０の周辺部で且つＴＶアンテナコネクタ１９の近傍に配置される。これに対し、エンコーダ・デコーダユニット２２０はＴＶアンテナコネクタ１９から離れた位置、例えばパーソナルコンピュータ１０の中央部に配置される。
【００４４】
従来、ＴＶチューナモジュールとエンコーダ・デコーダユニットとを含むＴＶチューナ・キャプチャユニット（アナログ・ＴＶチューナ・キャプチャユニット）は１つのプリント配線基板に実装されているのが一般的である。ＴＶチューナモジュールの入力信号であるＲＦ信号は微弱で且つ高周波である。このため、ＲＦ信号はパーソナルコンピュータ内部で発生するデジタルノイズの影響を受け易い。ＲＦ信号がデジタルノイズの影響を受けると、ＴＶ画質品位の低下の招く。そこで、ＴＶチューナ・キャプチャユニットが実装されたプリント配線基板を、当該ＴＶチューナ・キャプチャユニット内のＴＶチューナモジュールがパーソナルコンピュータのＴＶアンテナコネクタ（アンテナ端子）の近傍に位置するように配置することが考えられる。しかし、ＴＶチューナ・キャプチャユニット（が実装されたプリント配線基板）の大きさ故に、実装上の制限からＴＶチューナ・キャプチャユニット全体をＴＶアンテナコネクタに最も近い、最適な実装位置に配置することが困難な場合がある。
【００４５】
これに対して本実施形態では、図３を参照して既に説明したように、エンコーダ・デコーダユニット２２０が実装されているプリント配線基板２４０にはＴＶチューナモジュール２１０は実装されていない。即ち、ＴＶチューナモジュール２１０はプリント配線基板２４０から分離して配置されている。これにより本実施形態では、図４を参照して説明したように、ＴＶチューナモジュール２１０をパーソナルコンピュータ１０の周辺部で且つＴＶアンテナコネクタ１９に近接した位置に配置することができる。また、プリント配線基板２４０自体も小型化できるため、当該プリント配線基板２４０に対するパーソナルコンピュータ１０における実装位置の制限も従来に比べて少なくできる。
【００４６】
パーソナルコンピュータ１０内部では、例えばシステムロジック１００内のＣＰＵ１１１等によりデジタルノイズが発生する。プリント配線基板２４０に実装されるエンコーダ・デコーダユニット２２０（即ちビデオデコーダユニット２２１、オーディオデコーダユニット２２２及びＭＰＥＧエンコーダ２２３）もデジタルノイズを発生する。しかし本実施形態では、アナログ・ＴＶチューナ・キャプチャユニット１２３内でデジタルノイズに最も敏感なＴＶチューナモジュール２１０は、パーソナルコンピュータ１０の周辺部で且つＴＶアンテナコネクタ（アンテナ端子）１９に近接した位置に配置されている。これにより、ＴＶアンテナコネクタ１９を介してＴＶチューナモジュール２１０（内のＲＦチューナ２１１）に入力される微弱で且つ高周波のＲＦ信号が、エンコーダ・デコーダユニット２２０を含めでパーソナルコンピュータ１０内部で発生するデジタルノイズの影響を受ける可能性は少なくなる。
【００４７】
また本実施形態では、ＴＶチューナモジュール２１０からエンコーダ・デコーダユニット２２０には、アナログの映像信号及びＳＩＦ信号ではなくて、デジタルの映像データ及びＳＩＦデータが転送される。このため本実施形態のように、ＴＶチューナモジュール２１０とエンコーダ・デコーダユニット２２０との間の距離が離れていても、アナログの映像信号及びＳＩＦ信号に比較して信号減衰が少なくて済む。また、パーソナルコンピュータ１０内部でデジタルノイズが発生しても、アナログの映像信号及びＳＩＦ信号に比較して当該ノイズの影響を受けにくい。  
以上により、本実施形態においては、パーソナルコンピュータ１０内部で発生するデジタルノイズに起因してＴＶ画質品位の低下を招くのを防止でき、且つＴＶチューナモジュール２１０及びエンコーダ・デコーダユニット２２０のパーソナルコンピュータ１０内での実装位置の制限も少なくできる。
【００４８】
なお、本発明は、上記実施形態そのままに限定されるものではなく、実施段階ではその要旨を逸脱しない範囲で構成要素を変形して具体化できる。例えば、上記実施形態においてＴＶチューナモジュール２１０からエンコーダ・デコーダユニット２２０に転送されるデジタルの映像データ及びＳＩＦデータはいずれもシリアルデータである。しかし、デジタルの映像データ及びＳＩＦデータがパラレルデータであっても構わない。この場合、ＴＶチューナモジュール２１０内のパラレル／シリアル変換器２１３ｅと、エンコーダ・デコーダユニット２２０内のシリアル／パラレル変換器２２１ａ及び２２２ａとが不要となる。但し、ＴＶチューナモジュール２１０とエンコーダ・デコーダユニット２２０との間の信号配線に必要なスペースの増加を招く。また、上記実施形態またはその変形例に開示されている複数の構成要素の適宜な組み合せにより種々の発明を形成できる。例えば、実施形態に示される全構成要素から幾つかの構成要素を削除してもよい。
【図面の簡単な説明】
【００４９】
【図１】本発明の一実施形態に係るパーソナルコンピュータの外観を示す斜視図。
【図２】図１のパーソナルコンピュータのシステム構成を示すブロック図。
【図３】図２に表れているアナログ・ＴＶチューナ・キャプチャユニット１２３の構成を示すブロック図。
【図４】図３のアナログ・ＴＶチューナ・キャプチャユニット１２３に含まれているＴＶチューナモジュール２１０及びエンコーダ・デコーダユニット２２０のパーソナルコンピュータ１０における配置例を示す平面図。
【符号の説明】
【００５０】
１０…パーソナルコンピュータ（情報処理装置）、１７…ＬＣＤ（表示装置）、１９…ＴＶアンテナコネクタ（アンテナ端子）、３０…バスコネクタ、１００…システムロジック、１１０…ＴＶアンテナ、１２３…アナログ・ＴＶチューナ・キャプチャユニット、１１１…ＣＰＵ（コントローラ）、２１０…ＴＶチューナモジュール、２１１…ＲＦチューナ、２１３…ＴＶ復調ユニット、２１３ｃ…アナログ／ディジタル変換器（ＡＤＣ）、２１３ｄ…復調用ＤＳＰ、２１３ｅ…パラレル／シリアル変換器（Ｐ／Ｓ）、２２０…エンコーダ・デコーダユニット、２２１…ビデオデコーダユニット、２２１ａ，２２２ａ…シリアル／パラレル変換器（Ｓ／Ｐ）、２２１ｂ…ビデオデコーダ、２２２…オーディオデコーダユニット、２２２ｂ…オーディオデコーダ、２２３…ＭＰＥＧエンコーダ、２３１，２３２…信号ケーブル、２４０…プリント配線基板
【図１】
2006311369.tif 000003
【図２】
2006311369.tif 000004
【図３】
2006311369.tif 000005
【図４】
2006311369.tif 000006